(57)【要約】【課題】デジタル信号復調ユニット及びデジタルチューナの相互の位置関係を左右自在としたデジタル放送受信部の基板配置構造を提供する。【解決手段】デジタル信号復調ユニット１のＩＦ入力端子１１ａを、コネクタ１１に対して中央に配置することにより、デジタルチューナ３の配置位置がデジタル信号復調ユニット１に対して左右どちらに配置されても、一定の長さのパターン配線によりＩＦ入力端子１１ａとデジタルチューナを電気的に接続することができ、何れの場合においてもデジタル放送受信性能を均一とすることができる。【選択図】図１
2007159007.tif 000002
【特許請求の範囲】
【請求項１】
片面にノイズ防止用のシールドを有するデジタル信号復調ユニットと、デジタル放送電波を受信し信号を得るためのデジタルチューナを備える回路基板において、前記デジタル信号復調ユニットが有する前記回路基板との電気的接続を行うためのコネクタに配設されるＩＦ入力端子をコネクタの中央に配置することにより、前記デジタルチューナと前記デジタル信号復調ユニットの、前記回路基板上における相互の位置関係を左右自在としたことを特徴とするデジタル放送受信部の基板配置構造。
【請求項２】
前記シールドは、前記デジタル信号復調ユニットの端部と当接してコネクタ及び電子部品を密封するよう形成されることを特徴とする請求項１記載のデジタル放送受信部の基板配置構造。
【発明の詳細な説明】
【技術分野】
【０００１】
本発明は、デジタル信号復調ユニット及びデジタルチューナの相互の位置関係を左右自在としたデジタル放送受信部の基板配置構造に関する。
【背景技術】
【０００２】
従来、デジタル放送受信部に必要なデジタルチューナ及びデジタル信号復調ユニットの基板配置構造において、種々の方法が開示されている。
【０００３】
例えば、特許文献１では、デジタル信号復調ユニットとチューナユニットを配置した際の、同一方向の端部にアナログ信号用端子を集中させ、他端にデジタル信号用端子を集中させ、アナログ信号用端子が集中する領域とデジタル信号用端子が集中する領域を分離するように、互いのグランドパターンを対向させて配置することにより、双方が発生するノイズによる干渉を防ぐ方法を開示している。
【０００４】
また、一般的なデジタル信号復調ユニットは、デジタル信号復調ユニットが備える回路基板を電気的に接続するコネクタにおけるデジタルＩＦ信号を入力するためのＩＦ入力端子は、図５〜６に示すように、コネクタの端部側に位置している。これはデジタルチューナが有するデジタルＩＦ信号の出力部の位置に関連しており、ＩＦ入力端子と、デジタルＩＦ信号を出力するデジタルチューナが備えるデジタルＩＦ信号の出力部を電気的に接続するためのパターン配線の長さに比例してデジタルＩＦ信号の外来ノイズからの影響が大きくなるので、図７に示すように、より短いパターン配線としてデジタルＩＦ信号の出力の減衰を抑えるためである。
【０００５】
【特許文献１】特開２００２−１５２０６３号公報
【発明の開示】
【発明が解決しようとする課題】
【０００６】
しかしながら、特許文献１の方法では、デジタル信号復調ユニットが、コストを抑えるために、片面のみノイズの干渉を防ぐシールドを装着したものであり、回路基板のレイアウト上、デジタルチューナとデジタル信号復調ユニットの位置関係が左右逆としなければならない場合、それぞれのアナログ信号用端子が集中した領域とデジタル信号用端子が集中した領域が同一方向に配置すると、前記シールドがデジタルチューナと対向した位置とならず、デジタル信号復調ユニットのノイズ干渉が発生してしまう。これにより、１つのデジタル信号復調ユニットの構造を、多様なデジタル放送受信可能な電子機器に対して適用することができず、デジタル信号復調ユニットの部品化を行うことが困難であった。
【０００７】
また、従来のデジタル信号復調ユニットが備えるＩＦ信号入力端子の配置位置では、図７に示すようなデジタルチューナを左端部に配置せず、図８に示す基板配置構造のように右端部へ配置する場合、デジタル信号復調ユニットをデジタルチューナの左側へ配置したとしても、シールドを装着した側がデジタルチューナと対向せず、デジタル信号復調ユニットがデジタルチューナから発せられるノイズと干渉してしまう。また、これを防ぐために、図９に示す基板配置構造のように、シールドをデジタルチューナと対向させようとすると、シールドによりノイズの干渉は防ぐことができるが、デジタルチューナが有するデジタルＩＦ信号出力部と、デジタル信号復調ユニットが有するＩＦ入力端子とを電気的に接続するパターン配線が図７の基板配置構造の場合よりも長くなり、デジタル放送受信性能に支障を来たす虞がある。
【０００８】
本発明は上記課題を鑑みてなされたものであり、デジタル信号復調ユニット及びデジタルチューナの相互の位置関係を左右自在とすることにより、回路基板上の電子部品のレイアウト上の制約を抑えることができる、デジタル放送受信部の基板配置構造を提供することを目的とする。
【課題を解決するための手段】
【０００９】
請求項１に係るデジタル放送受信部の基板配置構造は、片面にノイズ防止用のシールドを有するデジタル信号復調ユニットと、デジタル放送電波を受信し信号を得るためのデジタルチューナを備える回路基板において、前記デジタル信号復調ユニットが有する前記回路基板との電気的接続を行うためのコネクタに配設されるＩＦ入力端子をコネクタの中央に配置することにより、前記デジタルチューナと前記デジタル信号復調ユニットの、前記回路基板上における相互の位置関係を左右自在としたことを特徴とする。
【００１０】
請求項１の構成によれば、デジタル信号復調ユニットが有するＩＦ入力端子を、コネクタ中央部とすることで、デジタルチューナから発せられるノイズを防ぐために、デジタル信号復調ユニットが備えるシールドがデジタルチューナ側となるようにデジタル信号復調ユニットを取り付ける場合に、デジタルチューナとデジタル信号復調ユニットの相互における位置関係が、左右何れになったとしても、デジタル信号復調ユニットが有するＩＦ入力端子及びデジタルチューナのＩＦ出力部を電気的に接続するためのパターン配線の長さを一定とすることができる。
【００１１】
請求項２に係るデジタル放送受信部の基板配置構造は、請求項１記載のデジタル放送受信部の基板配置構造において、前記シールドは、前記デジタル信号復調ユニットの端部と当接してコネクタ及び電子部品を密封するよう形成されることを特徴とする。
【００１２】
請求項２の構成によれば、シールドを略コ字状とすることで、デジタルチューナに隣接する位置にデジタル信号復調ユニットの配置をする際、左右どちらに配置されたとしても、デジタルチューナからのデジタル信号復調ユニットに対するデジタルノイズを確実に防ぐことができる。
【発明の効果】
【００１３】
請求項１に係るデジタル放送受信部の基板配置構造は、片面にノイズ防止用のシールドを有するデジタル信号復調ユニットと、デジタル放送電波を受信し信号を得るためのデジタルチューナを備える回路基板において、前記デジタル信号復調ユニットが有する前記回路基板との電気的接続を行うためのコネクタに配設されるＩＦ入力端子をコネクタの中央に配置することにより、前記デジタルチューナと前記デジタル信号復調ユニットの、前記回路基板上における相互の位置関係を、左右自在としたので、デジタルチューナに対して左右何れにデジタル信号復調ユニットが配置されても、デジタル信号復調ユニットが有するＩＦ入力端子及びデジタルチューナのＩＦ出力部を電気的に接続するためのパターン配線を一定の長さとすることができ、パターン配線長によるデジタル信号復調の性能差が発生せず、均一した性能を発揮することができると共に、複数の基板レイアウトに対して特殊な構造を用いずとも対応することができる。
【００１４】
請求項２に係るデジタル放送受信部の基板配置構造は、請求項１記載のデジタル放送受信部の基板配置構造において、前記シールドは、前記デジタル信号復調ユニットの端部と当接してコネクタ及び電子部品を密封するよう形成されるので、デジタルチューナとデジタル信号復調ユニットの相互の位置関係に関わらず、デジタルノイズの干渉を防ぐことができ、精度の高いデジタル信号の伝達を確保することができる。
【発明を実施するための最良の形態】
【００１５】
以下、本発明を実施するための最良の形態としての実施例を図１から図９を参照して説明する。もちろん、本発明は、その発明の趣旨に反さない範囲で、実施例において説明した以外のものに対しても容易に適用可能なことは説明を要するまでもない。
【００１６】
図１〜図４は、本発明の実施例を示し、図１は、本実施例におけるデジタル信号復調ユニットの構成を示す斜視図である。図２はデジタル信号復調ユニットを示す正面図である。図３は回路基板にデジタル信号復調ユニット及びデジタルチューナ、その他の電子部品を取り付けた状態を示す平面図である。図４は、図３におけるデジタル信号復調ユニット及びデジタルチューナの左右の位置関係を逆にした状態を示す回路基板の平面図である。
【００１７】
また、図５〜９は、デジタル信号復調ユニットが備えるＩＦ入力端子の位置がコネクタの端部にあるような、従来一般的に用いられる回路基板のデジタル放送受信部の基板配置構造を示しており、図５はＩＦ入力端子の位置がコネクタ端部に配置されたデジタル信号復調ユニットを示す斜視図である。図６は図５に示すデジタル信号復調ユニットの正面図である。図７はデジタルチューナに対して、デジタルチューナ端子部に向かって右側に配置した状態を示す回路基板の平面図である。図８は、図７に示すデジタル信号復調ユニットの向きを変えずに、デジタルチューナの左側に配置した状態を示す回路基板の平面図であり、図９は図８に示す基板配置構造から、デジタル信号復調ユニットに備えるシールドをデジタルチューナ側に配置するために、デジタル信号復調ユニットの向きを変えた状態を示す回路基板の平面図である。
【００１８】
本実施例における回路基板に取り付けるデジタル信号復調ユニットの構成について、図１及び図２に基づいて説明する。１は後述のデジタルチューナから入力される符号化されたデジタル信号を復調する、デジタル信号復調ユニットである。１０は、デジタル信号復調基板であり、後述の各部品及びこれらを電気的に接続するパターン配線を備えるものである。１１は、デジタル信号復調ユニット１と後述の回路基板とを電気的に接続するためのコネクタである。１１ａは後述のデジタルチューナが出力するデジタルＩＦ信号を、デジタル信号復調ユニット１に入力するためのＩＦ入力端子であり、コネクタ１１の端部に対して中央に位置するものである。１２はデジタルＩＦ信号を復調させるＬＳＩであり、１３は復調されたデジタルＩＦ信号を復号して映像化するためのＬＳＩである。
【００１９】
次に、回路基板の上のデジタル信号復調ユニット１及び他の電子部品の構成ついて、図３に基づいて説明する。２は電子部品が取り付けられ、パターン配線が印刷された回路基板である。３は前述のデジタルチューナであり、放送電波を受信するための図示しないアンテナと接続するためのアンテナ接続端子３ａを備えている。４はデジタルＩＦ信号を伝達するためのパターン配線であり、デジタルチューナ３とＩＦ入力端子１１ａとを電気的に接続するためのものである。５は、外部電子機器と接続し、映像音声信号をやりとりするためのオーディオヴィジュアルジャックである。６はブラウン管内で照射される電子ビームを加速するために使用されるＦＢＴ（ＦｌｙＢａｃｋ  Ｔｒａｎｓｆｏｒｍｅｒ）である。１４は、デジタルチューナ３から発せられるデジタルノイズが、デジタル信号復調ユニット１に対して干渉するのを防ぐと共に、ＬＳＩ１２及び１３の放熱効果を向上させるための、デジタル信号復調ユニット１に取り付けられる電子部品やコネクタ１１を密封するように形成される金属製のシールドである。
【００２０】
次に、デジタル信号復調ユニット１とデジタルチューナ３の相互の位置関係によらず、デジタル信号復調ユニット１の性能を均一に保つことができる基板配置構造について説明する。デジタルＩＦ信号はデジタルチューナ３から出力されるが、このデジタルＩＦ信号を伝達するための、デジタルチューナ３からデジタル信号復調ユニット１への接続は、接続経路へのノイズ混入を考慮すると、より短いパターン配線が望ましいため、デジタルチューナ３とデジタル信号復調ユニット１は隣接させてレイアウトさせる。また、デジタル信号復調ユニット１に対するデジタルチューナ３から発せられるデジタルノイズの干渉を防ぐために、デジタル信号復調ユニット１はそれが装着するシールド１４とデジタルチューナ３が対面するように配置する。即ち、回路基板２の左端にデジタルチューナ３を配置した場合、図３に示すような配置となる。これと逆に、回路基板の右端にデジタルチューナ３を配置する場合、例えば図８のように、単純にデジタル信号復調ユニット１とデジタルチューナ３の相互の位置関係を逆にするのみであると、デジタル信号復調ユニット１が有するシールド１４がデジタルチューナ３と相対する位置とならず、デジタルノイズによる干渉が発生してしまうため、それを防ぐために図４に示すように、デジタル信号復調ユニット１を反転させて配置することにより、シールド１４をデジタルチューナ３と対面させることができる。このとき、ＩＦ入力端子１１ａが、コネクタ中央に配置されているため、デジタルチューナ３とＩＦ入力端子１１ａを接続するパターン配線の長さが、図３及び図４の双方の状態において、一定となる。
【００２１】
以上のように構成される本実施例において、デジタル信号復調ユニット１のＩＦ入力端子１１ａを、コネクタ１１の中央部に配置することにより、回路基板２の右端にデジタルチューナ３を配置する場合には、デジタルチューナ３の左にシールド１４装着側をデジタルチューナ３側に向けるようデジタル信号復調ユニット１を配置可能とし、回路基板２の左端にデジタルチューナ３を配置する場合には、デジタルチューナ３にシールド１４装着側を向けてデジタル信号復調ユニット１を配置することができる。これにより、デジタル信号復調ユニット１及びデジタルチューナ３の相互の位置関係によらず均一した性能を保つことが可能な、デジタル信号復調ユニット１及びデジタルチューナ３の配置を左右自在に選択可能な基板配置構造を実現することができる。また、デジタル信号復調ユニット１に取り付けるシールド１４を、略コ字状とすることで、デジタル信号復調ユニット１をデジタルチューナ３から発せられるデジタルノイズによる干渉を防ぐために、デジタルチューナ３側にシールド１４が向くようにデジタル信号復調ユニット１を配置した場合でも、デジタル信号復調ユニット１とデジタルチューナ３の相互の位置関係に関わらず、確実にデジタルノイズによる干渉を防ぐことができる。
【図面の簡単な説明】
【００２２】
【図１】本発明の実施例を示す、デジタル信号復調ユニットの構成を示す斜視図である。
【図２】同上、デジタル信号復調ユニットの構成を示す正面図である。
【図３】同上、デジタルチューナを左端に配置した基板配置構成を示す回路基板の平面図である。
【図４】同上、デジタルチューナを右端に配置し、デジタル信号復調ユニットを反転してデジタルチューナに隣接して配置した基板配置構成を示す回路基板の平面図である。
【図５】従来一般に用いられている、デジタル信号復調ユニットの構成を示す回路基板の斜視図である。
【図６】従来一般に用いられている、デジタル信号復調ユニットの構成を示す回路基板の正面図である。
【図７】同上、デジタルチューナを左端に配置した基板配置構成を示す回路基板の平面図である。
【図８】同上、デジタルチューナを右端に配置し、デジタル信号復調ユニットをデジタルチューナに隣接して配置した基板配置構成を示す回路基板の平面図である。
【図９】図８に示す基板配置構成において、デジタル信号復調ユニットを反転させて配置した基板配置構成を示す回路基板の平面図である。
【符号の説明】
【００２３】
１      デジタル信号復調ユニット
１０    デジタル信号復調基板
１１    コネクタ
１１ａ  ＩＦ入力端子
１２    ＬＳＩ
１３    ＬＳＩ
１４    シールド
２      回路基板
３      デジタルチューナ
３ａ    アンテナ接続端子
４      パターン配線
５      オーディオヴィジュアルジャック
６      ＦＢＴ
【図１】
2007159007.tif 000003
【図２】
2007159007.tif 000004
【図３】
2007159007.tif 000005
【図４】
2007159007.tif 000006
【図５】
2007159007.tif 000007
【図６】
2007159007.tif 000008
【図７】
2007159007.tif 000009
【図８】
2007159007.tif 000010
【図９】
2007159007.tif 000011